(57)【要約】  本開示は、ページングフレームの位置決定方法、装置及び端末機器を提供する。ここで、この方法において、非連続受信するＤＲＸ周期内の同期信号ブロックを決定することと、前記ＤＲＸ周期内の前記同期信号ブロックの位置の後の位置でページングフレームＰＦの位置を決定することとを含む。【選択図】図１
2021513802.tif 000002
【特許請求の範囲】
【請求項１】
ページングフレームの位置決定方法であって、
非連続受信するＤＲＸ周期内の同期信号ブロックを決定することと、
前記ＤＲＸ周期内の前記同期信号ブロックの位置の後の位置でページングフレームＰＦの位置を決定することとを含む、ページングフレームの位置決定方法。
【請求項２】
前記同期信号ブロックは、前記ＤＲＸ周期内の最初の同期信号ブロックであり、又は、
前記同期信号ブロックは、前記ＤＲＸ周期内の複数の同期信号ブロックのいずれか１つ又は複数の同期信号ブロックである、請求項１に記載のページングフレームの位置決定方法。
【請求項３】
ページングフレームＰＦの位置を決定することは、
前記最初の同期信号ブロックの後の第１所定オフセット量の無線フレームの位置範囲であるページングフレームＰＦの位置範囲を決定することと、
前記ページングフレームＰＦの位置範囲内でページングフレームＰＦの位置を決定することとを含む、請求項２に記載のページングフレームの位置決定方法。
【請求項４】
前記第１所定オフセット量は、ネットワーク機器によって設定される値であり、又はネットワーク機器によって設定されるページングパラメータから算出される、請求項３に記載のページングフレームの位置決定方法。
【請求項５】
ページングフレームＰＦの位置を決定することは、
前記複数の同期信号ブロックのうちの１つのターゲット同期信号ブロックの位置を決定することと、
前記ターゲット同期信号ブロックの後の第２所定オフセット量の無線フレームの位置をページングフレームＰＦの位置範囲として決定することと、
前記ページングフレームＰＦの位置範囲内でページングフレームＰＦの位置を決定することとを含む、請求項２に記載のページングフレームの位置決定方法。
【請求項６】
前記複数の同期信号ブロックのうちの１つのターゲット同期信号ブロックの位置を決定することは、
端末識別子とＤＲＸ周期内のＰＦ数との剰余演算の結果を算出することと、
同期信号ブロックの周期に対するＤＲＸ周期の倍数と前記ＤＲＸ周期内のＰＦ数との比を算出することと、
前記結果と前記比との積に基づいて、ターゲット同期信号ブロックの位置を決定することとを含み、
前記ターゲット同期信号ブロックの位置と前記倍数との剰余結果は、前記積に等しい、請求項５に記載のページングフレームの位置決定方法。
【請求項７】
前記ＤＲＸ周期内のＰＦ数は、ネットワーク機器によって設定される値であり、又はネットワーク機器によって設定されるページングパラメータから決定される値であり、
前記第２所定オフセット量は、ネットワーク機器によって設定される値であり、又はネットワーク機器によって設定されるページングパラメータから決定される値である、請求項６に記載のページングフレームの位置決定方法。
【請求項８】
前記ページングフレームＰＦの位置範囲内でページングフレームＰＦの位置を決定することは、
前記ページングフレームＰＦの位置範囲内で、ＵＥ＿ＩＤの順序に基づいてページングフレームＰＦの位置を決定し、又は、
端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定し、前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方であり、又は、
前記ページングフレームＰＦの位置範囲内で、ネットワーク機器によって設定されるページングパラメータに基づいてページングフレームＰＦの位置を決定することを含む、請求項３又は５に記載のページングフレームの位置決定方法。
【請求項９】
決定された前記ページングフレームＰＦの位置を、マッピング関係に従って、前記同期信号ブロックの後の伝送位置にマッピングすることを更に含む、請求項３又は５に記載のページングフレームの位置決定方法。
【請求項１０】
前記マッピング関係は、予め決定されたもの、ネットワークによって設定されたもの、又はネットワークによって設定されたパラメータから決定されたものである、請求項９に記載のページングフレームの位置決定方法。
【請求項１１】
決定された前記ページングフレームＰＦの位置を、前記同期信号ブロックの後の伝送位置にマッピングすることは、
決定された前記ページングフレームＰＦの位置を、ＵＥ＿ＩＤの順序に従って前記同期信号ブロックの後の伝送位置にマッピングし、又は、
決定された前記ページングフレームＰＦの位置を、ＰＦのフレーム番号ＳＦＮの前後順に従って、前記同期信号ブロックの後の伝送位置にマッピングし、前記ＰＦのフレーム番号は、第３結果と第４結果とを乗算した第２積から決定され、前記第３結果は、端末識別子と第３値との剰余結果であり、前記第４結果は、ＤＲＸ周期を前記第３値で整数除算した結果であり、前記ＰＦのフレーム番号と前記ＤＲＸ周期との剰余結果は、前記第２積に等しく、前記第３値は、ＤＲＸ周期と第４値のうちの小さい方であり、前記第４値は、ＤＲＸ周期毎に含まれるページング機会ＰＯの数であり、又は、
決定された前記ページングフレームＰＦの位置を、ネットワーク機器によって設定されるページングパラメータに従って、前記同期信号ブロックの後の伝送位置にマッピングすることを含む、請求項９に記載のページングフレームの位置決定方法。
【請求項１２】
非連続受信するＤＲＸ周期内の同期信号ブロックを決定するための第１決定モジュールと、
前記ＤＲＸ周期内の前記同期信号ブロックの位置の後の位置でページングフレームＰＦの位置を決定するための第２決定モジュールとを含む、ページングフレームの位置決定装置。
【請求項１３】
前記同期信号ブロックは、前記ＤＲＸ周期内の最初の同期信号ブロックであり、又は、
前記同期信号ブロックは、前記ＤＲＸ周期内の複数の同期信号ブロックのいずれか１つ又は複数の同期信号ブロックである、請求項１２に記載のページングフレームの位置決定装置。
【請求項１４】
前記第２決定モジュールは、具体的には、
前記最初の同期信号ブロックの後の第１所定オフセット量の無線フレームの位置範囲であるページングフレームＰＦの位置範囲を決定することと、
前記ページングフレームＰＦの位置範囲内でページングフレームＰＦの位置を決定することとに用いられる、請求項１３に記載のページングフレームの位置決定装置。
【請求項１５】
前記第２決定モジュールは、具体的には、
前記複数の同期信号ブロックのうちの１つのターゲット同期信号ブロックの位置を決定することと、
前記ターゲット同期信号ブロックの後の第２所定オフセット量の無線フレームの位置をページングフレームＰＦの位置範囲として決定することと、
前記ページングフレームＰＦの位置範囲内でページングフレームＰＦの位置を決定することとに用いられる、請求項１３に記載のページングフレームの位置決定装置。
【請求項１６】
前記第２決定モジュールは、前記複数の同期信号ブロックのうちの１つのターゲット同期信号ブロックの位置を決定する際に、具体的には、
端末識別子とＤＲＸ周期内のＰＦ数との剰余演算の結果を算出することと、
同期信号ブロックの周期に対するＤＲＸ周期の倍数と前記ＤＲＸ周期内のＰＦ数との比を算出することと、
前記結果と前記比との積に基づいて、ターゲット同期信号ブロックの位置を決定することとに用いられ、
前記ターゲット同期信号ブロックの位置と前記倍数との剰余結果は、前記積に等しい、請求項１５に記載のページングフレームの位置決定装置。
【請求項１７】
前記第２決定モジュールが、前記ページングフレームＰＦの位置範囲内でページングフレームＰＦの位置を決定することは、
前記ページングフレームＰＦの位置範囲内で、ＵＥ＿ＩＤの順序に基づいてページングフレームＰＦの位置を決定し、又は、
端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定し、前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方であり、又は、
前記ページングフレームＰＦの位置範囲内で、ネットワーク機器によって設定されるページングパラメータに基づいてページングフレームＰＦの位置を決定することを含む、請求項１４又は１５に記載のページングフレームの位置決定装置。
【請求項１８】
決定された前記ページングフレームＰＦの位置を、マッピング関係に従って、前記同期信号ブロックの後の伝送位置にマッピングするためのマッピングモジュールを更に含む、請求項１４又は１５に記載のページングフレームの位置決定装置。
【請求項１９】
前記マッピングモジュールは、具体的には、
決定された前記ページングフレームＰＦの位置を、ＵＥ＿ＩＤの順序に従って前記同期信号ブロックの後の伝送位置にマッピングし、又は、
決定された前記ページングフレームＰＦの位置を、ＰＦのフレーム番号ＳＦＮの前後順に従って、前記同期信号ブロックの後の伝送位置にマッピングし、前記ＰＦのフレーム番号は、第３結果と第４結果とを乗算した第２積から決定され、前記第３結果は、端末識別子と第３値との剰余結果であり、前記第４結果は、ＤＲＸ周期を前記第３値で整数除算した結果であり、前記ＰＦのフレーム番号と前記ＤＲＸ周期との剰余結果は、前記第２積に等しく、前記第３値は、ＤＲＸ周期と第４値のうちの小さい方であり、前記第４値は、ＤＲＸ周期毎に含まれるページング機会ＰＯの数であり、又は、
決定された前記ページングフレームＰＦの位置を、ネットワーク機器によって設定されるページングパラメータに従って、前記同期信号ブロックの後の伝送位置にマッピングすることに用いられる、請求項１８に記載のページングフレームの位置決定装置。
【請求項２０】
非連続受信するＤＲＸ周期内の同期信号ブロックを決定することと、前記ＤＲＸ周期内の前記同期信号ブロックの位置の後の位置でページングフレームＰＦの位置を決定することとに用いられるプロセッサを含む、端末機器。
【請求項２１】
プロセッサと、メモリと、前記メモリに記憶され、前記プロセッサで動作可能なコンピュータプログラムとを含む端末機器であって、
前記プロセッサは、前記コンピュータプログラムを実行すると、請求項１〜１１のいずれか１項に記載のページングフレームの位置決定方法のステップを実現する、端末機器。
【請求項２２】
コンピュータプログラムが記憶されているコンピュータ読み取り可能な記憶媒体であって、
前記コンピュータプログラムがプロセッサによって実行されると、請求項１〜１１のいずれか１項に記載のページングフレームの位置決定方法のステップが実現される、コンピュータ読み取り可能な記憶媒体。
【発明の詳細な説明】
【技術分野】
【０００１】
本願は、２０１８年２月１３日に中国特許庁に提出された中国特許出願２０１８１０１５０９７５．０の優先権を主張し、その全ての内容が援用によりここに取り込まれる。
本開示は、通信技術分野に係り、特にページングフレームの位置決定方法、装置及び端末機器に係る。
【背景技術】
【０００２】
将来の５Ｇ（５  Ｇｅｎｅｒａｔｉｏｎ）移動通信システムでは、下り伝送速度２０Ｇｂｐｓ、上り伝送速度１０Ｇｂｐｓの目標を達成するために、高周波通信や大規模アンテナ技術が導入される。
【０００３】
高周波通信は、より広いシステム帯域幅を提供し、アンテナサイズも小さくなるため、基地局及びユーザ機器又は端末機器ＵＥ（Ｕｓｅｒ  Ｅｑｕｉｐｍｅｎｔ）における大規模なアンテナの配置に有利である。
【０００４】
高周波通信は、経路損失が大きく、干渉を受けやすく、リンクが脆弱であるという欠点がある。一方、大規模アンテナ技術は、より大きなアンテナ利得を提供することができる。従って、高周波通信と大規模アンテナとの組み合わせは、将来の５Ｇ移動通信システムの必然的な傾向である。
【０００５】
５Ｇシステムでは、現在の同期信号ブロックＳＳＢの周期は、５ｍｓ、１０ｍｓ、２０ｍｓ、４０ｍｓ、８０ｍｓ又は１６０ｍｓである。異なるＳＳＢ周期の場合、従来のＬＴＥシステムにおけるページングフレーム算出方式を使用し続けると、一部のＵＥは、Ｐａｇｉｎｇ（ページング）メッセージの受信を待つために比較的長い時間ウェイクアップする必要があり、電力が浪費されるという問題が生じる可能性がある。
【０００６】
ＬＴＥシステムでは、ネットワーク側でページングメッセージを送信する時間領域位置及び端末側でページングメッセージを受信する時間領域位置は、ＰＦ及びＰＯによって決定される。
Ｐａｇｉｎｇ  Ｆｒａｍｅ（ＰＦ）：ページングメッセージを送信するための無線フレームであり、場合によっては、１つ又は複数のＰＯを含む。
Ｐａｇｉｎｇ  Ｏｃｃａｓｉｏｎ（ＰＯ）：ページングスロットであり、場合によっては、この端末のページングメッセージのサブフレームを含む。
【０００７】
ＤＲＸ（非連続受信）がオンになると、省電力のために、端末は、ＤＲＸ周期内に自分に属するＰＯのみを傍受し、フレーム番号は、０〜１０２３である。
ＵＥ＿ＩＤ：ＩＭＳＩ  ＭＯＤ  １０２４であり、すなわち、ＩＭＳＩに基づいて１０２４のグループに分割される。
Ｔ：ＤＲＸ周期であり、ｒｆ３２、ｒｆ６４、ｒｆ１２８、ｒｆ２５６の値を取り、パラメータが上位ＲＲＣレイヤによって設定される。
ｉ＿ｓ：テーブルを参照することによって得られるサブフレームパターン。
ｎＢ：４Ｔ、２Ｔ、Ｔ、Ｔ／２、Ｔ／４、Ｔ／８、Ｔ／１６、Ｔ／３２である。ｎＢは、ＤＲＸ周期毎に何個のＰＯが含まれているかを示す。即ち、４Ｔは、無線フレーム毎に４サブフレームがページングに用いられることを示し、Ｔ／４は、４無線フレームに１サブフレームがページングに用いられることを示す。
【０００８】
ページング密度について、値が大きいほどページング密度が大きく、例えばｎＢ＝４Ｔは、１つの無線フレーム内に４個のＰＯがあることを示し、１未満である場合、Ｎｓによって制御される。
Ｎ：ｍｉｎ（Ｔ，ｎＢ）。
Ｎｓ：ｍａｘ（１，ｎＢ／Ｔ）：１、２、４のいずれかの値を取る。Ｎｓは、無線フレーム毎に何個のＰＯが含まれているかを示す。ページング密度Ｎｓ＝１は、１つの無線フレームに１個のページングＰＯがあることを示し、２は、２個のＰＯがあることを示す。具体的には、以下の通りである。
ＬＴＥシステムにおけるＦＤＤ（周波数分割多重）のＰＯ定義規則は、以下である。
【０００９】
【表１】
2021513802.tif 000003
【００１０】
Ｐ−ＲＮＴＩがＭＰＤＣＣＨ伝送する場合、システム帯域幅は、１．４ＭＨｚ〜３ＭＨｚであり、ＰＯの定義規則は、以下の通りである。
【００１１】
【表２】
2021513802.tif 000004
【００１２】
ＬＴＥシステムにおけるＴＤＤ（時間分割多重）のＰＯ定義規則は、以下の通りである。
【００１３】
【表３】
2021513802.tif 000005
【００１４】
Ｐ−ＲＮＴＩがＭＰＤＣＣＨ伝送する場合、システム帯域幅は、１．４ＭＨｚ〜３ＭＨｚであり、ＰＯの定義規則は、以下の通りである。
【００１５】
【表４】
2021513802.tif 000006
【００１６】
ＰＦページング周期と各パラメータの関係は、以下のＰＦの決定式から分かるように、ＰＦは、ＤＲＸ周期、ＵＥ＿ＩＤ即ちＩＭＳＩと関係がある。
ＰＦ：ＳＦＮ  ｍｏｄ  Ｔ＝（Ｔ  ｄｉｖ  Ｎ）＊（ＵＥ＿ＩＤ  ｍｏｄ  Ｎ）
【００１７】
以下のＰＯの決定式から分かるように、ＰＯのサブフレームパターンは、端末のＵＥ＿ＩＤ即ちＩＭＳＩ及びＮｓページング密度に関連する。
ＰＯ：ｉ＿ｓ＝ｆｌｏｏｒ（ＵＥ＿ＩＤ／Ｎ）  ｍｏｄ  Ｎｓ
他のパラメータ間の関係は、以下である。
ｎＢ：４Ｔ、２Ｔ、Ｔ、Ｔ／２、Ｔ／４、Ｔ／８、Ｔ／１６、Ｔ／３２。
Ｎ：ｍｉｎ（Ｔ，ｎＢ）。
Ｎｓ：ｍａｘ（１，ｎＢ／Ｔ）。
ＵＥ＿ＩＤ：ＩＭＳＩ  ｍｏｄ  １０２４。
【００１８】
ＬＴＥでは、同期信号の周期は、５ｍｓである。ＵＥは、アイドル状態でページングメッセージを受信するために、５ｍｓを超えるウェイクアップ時間で同期信号を受信することができ、この受信により同期を達成する。
【００１９】
一方、ＮＲでは、ＳＳＢ周期が比較的大きい場合、ＵＥのウェイクアップ時間が短すぎると、ページングメッセージを受信する前に同期を達成することができず、ページング受信成功率の低下を引き起こす。ＵＥが同期を達成するためにウェイクアップ時間が長くなると、ＵＥの無駄な電力消費が生じる。
【発明の概要】
【発明が解決しようとする課題】
【００２０】
本開示の実施例は、ページング受信成功率が低いという従来技術の問題を解決するために、ページングフレームの位置決定方法、装置及び端末機器を提供する。
【課題を解決するための手段】
【００２１】
第１方面において、本開示の実施例は、ページングフレームの位置決定方法を提供する。この方法において、非連続受信するＤＲＸ周期内の同期信号ブロックを決定することと、前記ＤＲＸ周期内の前記同期信号ブロックの位置の後の位置でページングフレームＰＦの位置を決定することとを含む。
【００２２】
第２方面において、本開示の実施例は、非連続受信するＤＲＸ周期内の同期信号ブロックを決定するための第１決定モジュールと、前記ＤＲＸ周期内の前記同期信号ブロックの位置の後の位置でページングフレームＰＦの位置を決定するための第２決定モジュールとを含むページングフレームの位置決定装置を更に提供する。
【００２３】
第３方面において、本開示の実施例は、非連続受信するＤＲＸ周期内の同期信号ブロックを決定することと、前記ＤＲＸ周期内の前記同期信号ブロックの位置の後の位置でページングフレームＰＦの位置を決定することとに用いられるプロセッサを含む端末機器を提供する。
【００２４】
第４方面において、本開示の実施例は、プロセッサと、メモリと、前記メモリに記憶され、前記プロセッサで動作可能なコンピュータプログラムとを含む端末機器を提供し、前記プロセッサは、前記コンピュータプログラムを実行すると、上記のページングフレームの位置決定方法のステップを実現する。
【００２５】
第５方面において、本開示の実施例は、コンピュータプログラムが記憶されているコンピュータ読み取り可能な記憶媒体を提供し、前記コンピュータプログラムがプロセッサによって実行されると、上記のページングフレームの位置決定方法のステップが実現される。
【発明の効果】
【００２６】
このように、本開示の実施例のページングフレームの位置決定方法において、まず、非連続受信するＤＲＸ周期内の同期信号ブロックを決定し、それから、前記ＤＲＸ周期内の前記同期信号ブロックの位置の後の位置でページングフレームＰＦの位置を決定する。これによって、端末機器がＰＦの位置を決定できるようにし、ページング受信成功率を高めるとともに、端末の電力消費を低下させる。
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２７】
【図１】本開示の実施例のページングフレームの位置決定方法の１つのフローチャートである。
【図２】同期信号ブロックＳＳＢとＰＦの位置関係図である。
【図３】本開示の実施例のページングフレームの位置決定方法の別のフローチャートである。
【図４】本開示の実施例のページングフレームの位置決定方法のまた別のフローチャートである。
【図５】本開示の実施例のページングフレームの位置決定装置のブロック図である。
【図６】本開示の実施例の端末機器の構造図である。
【発明を実施するための形態】
【００２８】
以下、添付図面を参照して本開示の例示的な実施例を更に詳細に記載する。本開示の例示的な実施例を図面に示しているが、本開示は、ここで説明した実施例に限定されることなく様々な形態で実現されることが理解されるべきである。これらの実施例を示すのは、本開示をより徹底的に理解してもらい、本開示の範囲を当業者に全面的に伝えるためである。
【００２９】
本願の明細書及び特許請求の範囲における「第１」、「第２」などの用語は、類似対象を区別するためのものであり、特定の順番や前後順を記載するために用いられない。このようなデータは、ここに記載した本願の実施例が例えばここに図示又は記載したもの以外の順番でも実施できるように、適宜に交換可能であることが理解されるべきである。また、「含む」、「有する」及びそれらのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んでもよい。
【００３０】
図１に示すように、本開示の実施例のページングフレームの位置決定方法において、非連続受信するＤＲＸ周期内の同期信号ブロックＳＳＢを決定するステップ１１と、前記ＤＲＸ周期内の前記同期信号ブロックの位置の後の位置でページングフレームＰＦの位置を決定するステップ１２とを含む。
【００３１】
本開示の実施例のページングフレームの位置決定方法において、まず、非連続受信するＤＲＸ周期内の同期信号ブロックＳＳＢを決定し、それから、前記ＤＲＸ周期内の前記同期信号ブロックの位置の後の位置でページングフレームＰＦの位置を決定する。よって、端末機器がＰＦの位置を決定できるようにし、ページング受信成功率を高めるとともに、端末の電力消費を低下させる。
【００３２】
図２に示されるように、本開示の上述実施例において、前記同期信号ブロックＳＳＢは、前記ＤＲＸ周期内の最初の同期信号ブロックＳＳＢであり、又は、前記同期信号ブロックＳＳＢは、前記ＤＲＸ周期内の複数の同期信号ブロックＳＳＢのいずれか１つ又は複数の同期信号ブロックＳＳＢである。
【００３３】
図３に示すように、本開示の別の実施例のページングフレームの位置決定方法において、非連続受信するＤＲＸ周期内の１つ又は複数の同期信号ブロックＳＳＢを決定するステップ３１と、前記ＤＲＸ周期内で、前記最初の同期信号ブロックの後の第１所定オフセット量（ｏｆｆｓｅｔ）の無線フレームの位置範囲であるページングフレームＰＦの位置範囲を決定し、前記ページングフレームＰＦの位置範囲内でページングフレームＰＦの位置を決定するステップ３２とを含む。
【００３４】
ここの第１所定オフセット量は、ネットワーク機器によって設定される値であり、又はネットワーク機器によって設定されるページングパラメータから算出される。ここのページングパラメータは、ＵＥ＿ＩＤ、ＤＲＸ周期Ｔ、サブフレームパターンｉ＿ｓ、各ＤＲＸ周期内に何個のＰＯが含まれるかのｎＢ、Ｎ＝ｍｉｎ（Ｔ，ｎＢ）又はＮｓ＝ｍａｘ（１，ｎＢ／Ｔ）の１つ又は複数である。ネットワーク機器は、設定を具体的に行うとき、システムメッセージ又はＲＲＣ（無線リソース制御）メッセージによって設定する。
【００３５】
この実施例において、ステップ３２が具体的に実現される場合、以下のステップを含む。
ステップ３２１において、前記ページングフレームＰＦの位置範囲内で、ＵＥ＿ＩＤの順序に基づいてページングフレームＰＦの位置を決定する。
又は、ステップ３２２において、端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定する。前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方である。
具体的には、前記ページングフレームＰＦの位置範囲内で、式ＳＦＮ  ｍｏｄ  Ｔ＝（Ｔ  ｄｉｖ  Ｎ）＊（ＵＥ＿ＩＤ  ｍｏｄ  Ｎ）に基づいてＰＦのフレーム番号を得、ＰＦのフレーム番号ＳＦＮの前後順にページングフレームＰＦの位置を決定する。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、具体的にはＩＭＳＩ  ＭＯＤ  １０２４である。ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかである。
又は、ステップ３２３において、前記ページングフレームＰＦの位置範囲内で、ネットワーク機器によって設定されるページングパラメータに基づいてページングフレームＰＦの位置を決定する。ここのページングパラメータは、ＵＥ＿ＩＤ、ＤＲＸ周期Ｔ、サブフレームパターンｉ＿ｓ、各ＤＲＸ周期内に何個のＰＯが含まれるかのｎＢ、Ｎ＝ｍｉｎ（Ｔ，ｎＢ）又はＮｓ＝ｍａｘ（１，ｎＢ／Ｔ）の１つ又は複数である。
【００３６】
更に、この実施例において、決定された前記ページングフレームＰＦの位置を、マッピング関係に従って、前記同期信号ブロックの後の伝送位置にマッピングするステップ３３を更に含む。ここのマッピング関係は、予め決定されたもの、ネットワークによって設定されたもの、又はネットワークによって設定されたパラメータから決定されたものである。
【００３７】
マッピングを具体的に行う場合、以下の方法で実現することができる。
方式１：決定された前記ページングフレームＰＦの位置を、ＵＥ＿ＩＤの順序に従って前記同期信号ブロックの後の伝送位置にマッピングする。
又は、方式２：決定された前記ページングフレームＰＦの位置を、ＰＦのフレーム番号ＳＦＮの前後順に従って、前記同期信号ブロックの後の伝送位置にマッピングする。前記ＰＦのフレーム番号は、第３結果と第４結果とを乗算した第２積から決定される。前記第３結果は、端末識別子と第３値との剰余結果である。前記第４結果は、ＤＲＸ周期を前記第３値で整数除算した結果である。前記ＰＦのフレーム番号と前記ＤＲＸ周期との剰余結果は、前記第２積に等しい。前記第３値は、ＤＲＸ周期と第４値のうちの小さい方である。前記第４値は、ＤＲＸ周期毎に含まれるページング機会ＰＯの数である。
具体的には、決定された前記ページングフレームＰＦの位置を、ＰＦのフレーム番号ＳＦＮの前後順に従って、前記同期信号ブロックの後の伝送位置にマッピングする。前記ＰＦのフレーム番号は、式ＳＦＮ  ｍｏｄ  Ｔ＝（Ｔ  ｄｉｖ  Ｎ）＊（ＵＥ＿ＩＤ  ｍｏｄ  Ｎ）から得られる。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、具体的にはＩＭＳＩ  ＭＯＤ  １０２４であり、ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかを取る。
又は、方式３：決定された前記ページングフレームＰＦの位置を、ネットワーク機器によって設定されるページングパラメータに従って、前記同期信号ブロックの後の伝送位置にマッピングする。
【００３８】
本開示のこの実施例において、ページングフレームＰＦがＤＲＸ周期内の最初のＳＳＢの後の第１所定オフセット量（ｏｆｆｓｅｔ）の無線フレームの位置範囲内に位置する。具体的には、上述したステップ３２１又は３２２又は３２３の方式によって具体的にＰＦの位置を決定し、決定されたＰＦの位置を対応する伝送位置にマッピングすることによって、端末機器がＰＦの位置を決定できるようにして、ページング成功率を向上させる。
【００３９】
図４に示すように、本開示の実施例のページングフレームの位置決定方法において、非連続受信するＤＲＸ周期内の複数の同期信号ブロックＳＳＢを決定するステップ４１と、前記ＤＲＸ周期内で、前記複数の同期信号ブロックのうちの１つのターゲット同期信号ブロックの後の第２所定オフセット量の無線フレームの位置をページングフレームＰＦの位置範囲として決定し、前記ページングフレームＰＦの位置範囲内でページングフレームＰＦの位置を決定するステップ４２とを含む。
【００４０】
ここで、前記第２所定オフセット量は、ネットワーク機器によって設定される値であり、又はネットワーク機器によって設定されるページングパラメータから算出される。ここのページングパラメータは、ＵＥ＿ＩＤ、ＤＲＸ周期Ｔ、サブフレームパターンｉ＿ｓ、各ＤＲＸ周期内に何個のＰＯが含まれるかのｎＢ、Ｎ＝ｍｉｎ（Ｔ，ｎＢ）又はＮｓ＝ｍａｘ（１，ｎＢ／Ｔ）の１つ又は複数である。ネットワーク機器は、設定を具体的に行うとき、システムメッセージ又はＲＲＣ（無線リソース制御）メッセージによって設定する。
【００４１】
この実施例において、ステップ４２は、具体的には、以下のステップを含む。
【００４２】
ステップ４２１において、前記ＤＲＸ周期内で、前記複数の同期信号ブロックのうちの１つのターゲット同期信号ブロックの位置を決定する。
具体的に実現する場合、端末識別子とＤＲＸ周期内のＰＦ数との剰余演算の結果を算出し、同期信号ブロックの周期に対するＤＲＸ周期の倍数と前記ＤＲＸ周期内のＰＦ数との比を算出し、前記結果と前記比との積に基づいて、ターゲット同期信号ブロックの位置を決定する。前記ターゲット同期信号ブロックの位置と前記倍数との剰余結果は、前記積に等しい。
具体的には、式Ｘ  ｍｏｄ  Ｙ＝Ｙ／Ｎ＊ＵＥ＿ＩＤ  ｍｏｄ  Ｎに基づいて、複数の同期信号ブロックのうちの１つのターゲット同期信号ブロックの位置を決定する。
ここで、Ｘは、前記ターゲット同期信号ブロックの位置であり、ＤＲＸ周期は、同期信号ブロックの周期のＹ倍であり、Ｎは、１ＤＲＸ周期内のＰＦ数であり、ＵＥ＿ＩＤは、端末識別子である。前記Ｎは、ネットワーク機器によって設定される値、又はネットワーク機器から端末に設定したページングパラメータに基づいて決定された値である。ネットワーク機器は、設定を具体的に行うとき、システムメッセージ又はＲＲＣ（無線リソース制御）メッセージによって設定する。
【００４３】
ステップ４２２において、前記ターゲット同期信号ブロックの後の第２所定オフセット量の無線フレームの位置をページングフレームＰＦの位置範囲として決定する。
【００４４】
ステップ４２３において、前記ページングフレームＰＦの位置範囲内でページングフレームＰＦの位置を決定する。このステップ４２３が具体的に実現される場合、以下を含むことができる。
ステップ４２３１において、前記ページングフレームＰＦの位置範囲内で、ＵＥ＿ＩＤの順序に基づいてページングフレームＰＦの位置を決定する。
又は、ステップ４２３２において、端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定する。前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方である。
具体的には、前記ページングフレームＰＦの位置範囲内で、式ＳＦＮ  ｍｏｄ  Ｔ＝（Ｔ  ｄｉｖ  Ｎ）＊（ＵＥ＿ＩＤ  ｍｏｄ  Ｎ）に基づいてＰＦのフレーム番号を得て、ＰＦのフレーム番号ＳＦＮの前後順にページングフレームＰＦの位置を決定する。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、具体的にはＩＭＳＩ  ＭＯＤ  １０２４である。ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかである。
又は、ステップ４２３３において、前記ページングフレームＰＦの位置範囲内で、ネットワーク機器によって設定されるページングパラメータに基づいてページングフレームＰＦの位置を決定する。ここのページングパラメータは、ＵＥ＿ＩＤ、ＤＲＸ周期Ｔ、サブフレームパターンｉ＿ｓ、各ＤＲＸ周期内に何個のＰＯが含まれるかのｎＢ、Ｎ＝ｍｉｎ（Ｔ，ｎＢ）又はＮｓ＝ｍａｘ（１，ｎＢ／Ｔ）の１つ又は複数である。
【００４５】
更に、この実施例において、決定された前記ページングフレームＰＦの位置を、マッピング関係に従って、前記同期信号ブロックの後の伝送位置にマッピングするステップ４３を更に含む。ここのマッピング関係は、予め決定されたもの、ネットワークによって設定されたもの、又はネットワークによって設定されたパラメータから算出されたものである。
【００４６】
マッピングを具体的に行う場合、以下の方法で実現することができる。
方式１：決定された前記ページングフレームＰＦの位置を、ＵＥ＿ＩＤの順序に従って前記同期信号ブロックの後の伝送位置にマッピングする。
又は、方式２：決定された前記ページングフレームＰＦの位置を、ＰＦのフレーム番号ＳＦＮの前後順に従って、前記同期信号ブロックの後の伝送位置にマッピングする。前記ＰＦのフレーム番号は、第３結果と第４結果とを乗算した第２積から決定される。前記第３結果は、端末識別子と第３値との剰余結果である。前記第４結果は、ＤＲＸ周期を前記第３値で整数除算した結果である。前記ＰＦのフレーム番号と前記ＤＲＸ周期との剰余結果は、前記第２積に等しい。前記第３値は、ＤＲＸ周期と第４値のうちの小さい方である。前記第４値は、ＤＲＸ周期毎に含まれるページング機会ＰＯの数である。
具体的には、決定された前記ページングフレームＰＦの位置を、ＰＦのフレーム番号ＳＦＮの前後順に従って、前記同期信号ブロックの後の伝送位置にマッピングする。前記ＰＦのフレーム番号は、式ＳＦＮ  ｍｏｄ  Ｔ＝（Ｔ  ｄｉｖ  Ｎ）＊（ＵＥ＿ＩＤ  ｍｏｄ  Ｎ）から得られる。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、具体的にはＩＭＳＩ  ＭＯＤ  １０２４であり、ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかを取る。
又は、方式３：決定された前記ページングフレームＰＦの位置を、ネットワーク機器によって設定されるページングパラメータに従って、前記同期信号ブロックの後の伝送位置にマッピングする。
【００４７】
本開示のこの実施例において、ページングフレームＰＦがＤＲＸ周期内の複数ＳＳＢのうちのいずれか一つのターゲットＳＳＢの後の第２所定オフセット量（ｏｆｆｓｅｔ）の無線フレームの位置範囲内に位置する。具体的には、上述したステップ４２３１又は４２３２又は４２３３の方式によって具体的にＰＦの位置を決定し、決定されたＰＦの位置を対応する伝送位置にマッピングすることによって、端末機器がＰＦの位置を決定できるようにして、ページング成功率を高めるとともに、端末の電力消費を低下させる。
【００４８】
本開示の上述の実施例は、５Ｇ、ｅＬＴＥ、又は類似のメッセージ位置決定を有する他のシナリオに用いられる。
【００４９】
図５に示すように、本開示の実施例は、ページングフレームの位置決定装置５０を更に提供する。このページングフレームの位置決定装置５０は、非連続受信するＤＲＸ周期内の同期信号ブロックを決定するための第１決定モジュール５１と、前記ＤＲＸ周期内の前記同期信号ブロックの位置の後の位置でページングフレームＰＦの位置を決定するための第２決定モジュール５２とを含む。
【００５０】
ここで、前記同期信号ブロックは、前記ＤＲＸ周期内の最初の同期信号ブロックであり、又は、前記同期信号ブロックは、前記ＤＲＸ周期内の複数の同期信号ブロックのいずれか１つ又は複数の同期信号ブロックである。
【００５１】
本開示の一実施例において、前記第２決定モジュール５２は、具体的には、前記最初の同期信号ブロックの後の第１所定オフセット量の無線フレームの位置範囲であるページングフレームＰＦの位置範囲を決定することと、前記ページングフレームＰＦの位置範囲内でページングフレームＰＦの位置を決定することとに用いられる。
【００５２】
前記第１所定オフセット量は、ネットワーク機器によって設定される値であり、又はネットワーク機器によって設定されるページングパラメータから算出される。
【００５３】
本開示の一実施例において、前記第２決定モジュール５２は、更に、具体的には、前記複数の同期信号ブロックのうちの１つのターゲット同期信号ブロックの位置を決定することと、前記ターゲット同期信号ブロックの後の第２所定オフセット量の無線フレームの位置をページングフレームＰＦの位置範囲として決定することと、前記ページングフレームＰＦの位置範囲内でページングフレームＰＦの位置を決定することとに用いられる。
【００５４】
前記第２決定モジュール５２は、前記ＤＲＸ周期内の複数の同期信号ブロックのうちの１つのターゲット同期信号ブロックの位置を決定する際に、具体的には、端末識別子とＤＲＸ周期内のＰＦ数との剰余演算の結果を算出することと、同期信号ブロックの周期に対するＤＲＸ周期の倍数と前記ＤＲＸ周期内のＰＦ数との比を算出することと、前記結果と前記比との積に基づいて、ターゲット同期信号ブロックの位置を決定することとに用いられる。前記ターゲット同期信号ブロックの位置と前記倍数との剰余結果は、前記積に等しい。
【００５５】
具体的には、式Ｘ  ｍｏｄ  Ｙ＝Ｙ／Ｎ＊ＵＥ＿ＩＤ  ｍｏｄ  Ｎに基づいて、複数の同期信号ブロックのうちの１つのターゲット同期信号ブロックの位置を決定する。ここで、Ｘは、前記ターゲット同期信号ブロックの位置であり、ＤＲＸ周期は、同期信号ブロックの周期のＹ倍であり、Ｎは、１ＤＲＸ周期内のＰＦ数であり、ＵＥ＿ＩＤは、端末識別子である。前記Ｎは、ネットワーク機器によって設定される値、又はネットワーク機器から端末に設定したページングパラメータに基づいて決定された値である。
【００５６】
本開示のこの実施例において、前記第２決定モジュール５２が、前記ページングフレームＰＦの位置範囲内でページングフレームＰＦの位置を決定する際に、具体的に、前記ページングフレームＰＦの位置範囲内で、ＵＥ＿ＩＤの順序に基づいてページングフレームＰＦの位置を決定することに用いられる。又は、端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定することに用いられる。前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方である。具体的には、前記ページングフレームＰＦの位置範囲内で、式ＳＦＮ  ｍｏｄ  Ｔ＝（Ｔ  ｄｉｖ  Ｎ）＊（ＵＥ＿ＩＤ  ｍｏｄ  Ｎ）からＰＦのフレーム番号を得、ＰＦのフレーム番号ＳＦＮの前後順にページングフレームＰＦの位置を決定する。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかを取る。又は、前記ページングフレームＰＦの位置範囲内で、ネットワーク機器によって設定されるページングパラメータに基づいてページングフレームＰＦの位置を決定することに用いられる。
【００５７】
本開示の１つの具体的な実施例において、ページングフレームの位置決定装置は、決定された前記ページングフレームＰＦの位置を、マッピング関係に従って、前記同期信号ブロックの後の伝送位置にマッピングするためのマッピングモジュールを更に含む。ここのマッピング関係は、予め決定されたもの、ネットワークによって設定されたもの、又はネットワークによって設定されたパラメータから算出されたものである。
【００５８】
前記マッピングモジュールは、具体的には、決定された前記ページングフレームＰＦの位置を、ＵＥ＿ＩＤの順序に従って前記同期信号ブロックの後の伝送位置にマッピングすることに用いられる。又は、決定された前記ページングフレームＰＦの位置を、ＰＦのフレーム番号ＳＦＮの前後順に従って、前記同期信号ブロックの後の伝送位置にマッピングすることに用いられる。前記ＰＦのフレーム番号は、第３結果と第４結果とを乗算した第２積から決定される。前記第３結果は、端末識別子と第３値との剰余結果である。前記第４結果は、ＤＲＸ周期を前記第３値で整数除算した結果である。前記ＰＦのフレーム番号と前記ＤＲＸ周期との剰余結果は、前記第２積に等しい。前記第３値は、ＤＲＸ周期と第４値のうちの小さい方である。前記第４値は、ＤＲＸ周期毎に含まれるページング機会ＰＯの数である。具体的には、式ＳＦＮ  ｍｏｄ  Ｔ＝（Ｔ  ｄｉｖ  Ｎ）＊（ＵＥ＿ＩＤ  ｍｏｄ  Ｎ）からＰＦのフレーム番号ＳＦＮを得る。ここで、Ｔは、ＤＲＸ周期であり、Ｎは、ｍｉｎ（Ｔ，ｎＢ）であり、ＳＦＮは、ＰＦのフレーム番号であり、ＵＥ＿ＩＤは、端末識別子であり、ｄｉｖは、整数除算を示し、ｎＢの値は、４Ｔ、２Ｔ、Ｔ、Ｔ／２、Ｔ／４、Ｔ／８、Ｔ／１６、Ｔ／３２のいずれかを取る。又は、決定された前記ページングフレームＰＦの位置を、ネットワーク機器によって設定されるページングパラメータに従って、前記同期信号ブロックの後の伝送位置にマッピングすることに用いられる。
【００５９】
なお、本開示の実施例のページングフレームの位置決定装置は、上記方法と同一の実現手段を採用している。上記方法におけるすべての実現方式は、いずれもこの装置の実施例に適用し、同一の技術効果を奏することもできる。
【００６０】
なお、以上の端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【００６１】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【００６２】
上記目的を更に実現するために、発明の実施例は、端末機器６０を更に提供する。この端末機器６０は、プロセッサを含む。このプロセッサは、非連続受信するＤＲＸ周期内の同期信号ブロックを決定することと、前記ＤＲＸ周期内の前記同期信号ブロックの位置の後の位置をページングフレームＰＦの位置に決定することとに用いられる。
【００６３】
図６は、本開示の各実施例を実現する一種の端末機器のハードウェア構造を示す図である。この端末機器６０は、ラジオ周波数ユニット６１と、ネットワークモジュール６２と、音声出力ユニット６３と、入力ユニット６４と、センサ６５と、表示ユニット６６と、ユーザ入力ユニット６７と、インタフェースユニット６８と、メモリ６９と、プロセッサ６１０と、電源６１１などの構成要素を含むが、これらに限定されない。
【００６４】
図６に示される端末の構造は、端末を限定するものではなく、端末は、図示されるよりも多い又は少ない構成要素を含むことができ、又は決定の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００６５】
ここで、プロセッサ６１０は、非連続受信するＤＲＸ周期内の同期信号ブロックを決定することと、前記ＤＲＸ周期内の前記同期信号ブロックの位置の後の位置でページングフレームＰＦの位置を決定することとに用いられる。
【００６６】
本開示の実施例の端末機器は、非連続受信するＤＲＸ周期内の同期信号ブロックＳＳＢを決定し、それから、前記ＤＲＸ周期内の前記同期信号ブロックの位置の後の位置をページングフレームＰＦの位置に決定する。よって、端末機器がＰＦの位置を決定できるようにし、ページングメッセージを受信する場合、ページング受信成功率を高めるとともに、端末の電力消費を低下させる。
【００６７】
なお、本開示の実施例において、ラジオ周波数ユニット６１は、情報の送受信又は通話中で信号の送受信に用いられ、具体的に、基地局からの下りデータを受信した後、プロセッサ６１０による処理に供し、また、上りデータを基地局に送信する。一般に、ラジオ周波数ユニット６１は、アンテナ、少なくとも１つの増幅器、トランシーバ、結合器、低雑音増幅器、デュプレクサなどを含むが、それらに限定されない。また、ラジオ周波数ユニット６１は、無線通信システムを介してネットワークや他の機器と通信を行うこともできる。
【００６８】
端末は、ネットワークモジュール６２を介して、電子メールの送受信、ウェブページの閲覧、ストリーミングメディアへのアクセスを支援するなど、無線ブロードバンドインターネットアクセスをユーザに提供する。
【００６９】
音声出力ユニット６３は、ラジオ周波数ユニット６１やネットワークモジュール６２が受信した音声データや、メモリ６９に記憶された音声データを音声信号に変換して音声として出力することができる。また、音声出力ユニット６３は、端末機器６０が実行する特定の機能に関する音声（例えば、呼出信号着信音、メッセージ着信音等）を出力してもよい。音声出力ユニット６３は、スピーカ、ブザー及びレシーバなどを含む。
【００７０】
入力ユニット６４は、音声や映像の信号を受信することに用いられる。入力ユニット６４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）６４１と、マイク６４２とを含む。処理された画像フレームは、表示ユニット６６上に表示される。グラフィックスプロセッサ６４１で処理された画像フレームは、メモリ６９（又は他の記憶媒体）に記憶されるか、又はラジオ周波数ユニット６１又はネットワークモジュール６２を介して送信される。マイク６４２は、音声を受信し、音声データに加工することができる。処理された音声データは、電話通話モードの場合、ラジオ周波数ユニット６１を介して移動体通信基地局に送信可能な形式に変換して出力することができる。
【００７１】
端末機器６０は、光センサ、モーションセンサ及び他のセンサのような少なくとも１つのセンサ６５を更に含む。具体的には、光センサは、周辺光センサ及び近接センサを含む。周辺光センサは、周辺光の明暗に応じて表示パネル６６１の輝度を調節し、近接センサは、端末機器６０が耳に移動したときに表示パネル６６１とバックライトの少なくともいずれかを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ６５は、指紋センサ、圧力センサ、虹彩センサ、分子センサ、ジャイロスコープ、気圧計、湿度計、温度計、赤外線センサなどを更に含むことができるが、ここでは枚挙しない。
【００７２】
表示ユニット６６は、ユーザが入力した情報やユーザに提供した情報を表示するために用いられる。表示ユニット６６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル６６１を含んでもよい。
【００７３】
ユーザ入力ユニット６７は、数字や文字情報の入力を受け付け、ユーザによる端末の設定や機能制御に関するキー信号の入力を行うことに用いられる。具体的に、ユーザ入力ユニット６７は、タッチパネル６７１と、その他の入力機器６７２とを含む。タッチパネル６７１は、タッチスクリーンとも呼ばれ、その上又は付近でのユーザのタッチ操作を取得可能である（たとえばユーザが指やスタイラスなどの任意の適切な物体や付属部材を用いたタッチパネル６７１の上又はタッチパネル６７１の付近での操作）。タッチパネル６７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ６１０に送り、プロセッサ６１０からの命令を受信して実行する。なお、タッチパネル６７１は、抵抗膜式、静電容量式、赤外線、表面弾性波など、種々の方式を用いて実現することができる。ユーザ入力ユニット６７は、タッチパネル６７１の他に、他の入力機器６７２を含んでもよい。具体的に、他の入力機器６７２は、物理的なキーボード、機能キー（例えば、音量調節キー、スイッチキーなど）、トラックボール、マウス、レバーを含むが、ここでは枚挙しない。
【００７４】
更に、タッチパネル６７１は、表示パネル６６１に重ねられる。タッチパネル６７１は、その上又はその近くでタッチ操作を検出すると、プロセッサ６１０に送信して、タッチイベントのタイプを決定する。次いで、プロセッサ６１０は、タッチイベントのタイプに応じて、対応する視覚的出力を表示パネル６６１に提供する。図６では、タッチパネル６７１と表示パネル６６１は、独立した２つの部品として端末の入出力機能を実現するが、実施例によっては、タッチパネル６７１と表示パネル６６１を一体化して端末機器の入出力機能を実現することもでき、具体的にここでは限定しない。
【００７５】
インタフェースユニット６８は、外部装置と端末機器６０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、イヤホンポート等を含む。インタフェースユニット６８は、外部装置から入力（たとえば、データ情報、電力など）を受信し、受信した入力を端末機器６０内の１つ以上の要素に伝送するために使用されてもよく、又は端末機器６０と外部装置との間でデータを伝送するために使用されてもよい。
【００７６】
メモリ６９は、ソフトウェアプログラム及び様々なデータを格納するために使用される。メモリ６９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ６９は、高速ランダムアクセスメモリを含んでもよく、少なくとも１つの磁気ディスク記憶装置、フラッシュメモリデバイスなどの非揮発性メモリ、又は他の揮発性固体記憶デバイスを含んでもよい。
【００７７】
プロセッサ６１０は、端末の制御センタであり、各種インタフェースや回線を用いて端末全体の各部を接続し、メモリ６９に格納されたソフトウェアプログラムとモジュールの少なくともいずれかを実行、メモリ６９に格納されたデータを呼び出して端末の各種機能及び処理データを実行し、端末全体の監視を行う。プロセッサ６１０は、１つ以上の処理ユニットを含んでもよい。選択可能に、プロセッサ６１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ６１０に統合されなくてもよいことが理解される。
【００７８】
端末機器６０は、各構成要素に電力を供給するためのバッテリのような電源６１１を更に含んでもよい。選択可能に、電源６１１は、電源管理システムを介してプロセッサ６１０に論理的に接続されてもよく、電源管理システムを介して充電管理、放電管理、及び消費電力管理などの機能を実現してもよい。
【００７９】
また、端末機器６０は、図示しない機能モジュールを更に含んでもよく、ここでの説明は省略する。
【００８０】
選択可能に、本開示の実施例は、プロセッサ６１０と、メモリ６９と、メモリ６９に記憶され、前記プロセッサ６１０で動作可能なコンピュータプログラムとを含む端末機器を更に提供し、このコンピュータプログラムがプロセッサ６１０によって実行されると、上記ＰＦ位置の決定方法の実施例の各プロセスが実現され、且つ同一の技術効果を奏することもできるので、重複を避けるためにここでは繰り返して記載しない。ここで、端末は、無線端末であってもよく有線端末であってもよい。無線端末とは、音声や他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つまたは複数のコアネットワークと通信可能である。無線端末は、移動電話（又は「セルラー」電話と称される）などの移動端末、移動端末を有するコンピュータなどである。たとえば、端末は、携帯式、ポータブル式、ハンドヘルド式、コンピュータ内蔵式又は車載の移動装置であり、無線アクセスネットワークとは音声やデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００８１】
本開示の実施例は、コンピュータプログラムが記憶されているコンピュータ読み取り可能な記憶媒体を更に提供し、当該コンピュータプログラムがプロセッサによって実行されると、上記のＰＦ位置の決定方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【００８２】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がハードウェアによって実行されるか、それともソフトウェアによって実行されるかは、技術手段の特定な応用や設計の制限条件によって決められる。当業者は、各特定の応用に対し、異なる方法によって記載の機能を実現することができるが、これらの実現は、本開示の範囲を超えたものとされるべきではない。
【００８３】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【００８４】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【００８５】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【００８６】
また、本開示の各実施例における各機能的ユニットは、１つの処理ユニットに一体化されていてもよいし、物理的に別々に設けられていてもよいし、２つ以上が一体化されてもよい。
【００８７】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【００８８】
なお、本開示の装置と方法において、各部品又は各ステップは、分解や再度の組み合わせが可能である。これらの分解や再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【００８９】
したがって、本開示の目的は、任意の計算装置で１つ又は一連のプログラムを実行することによっても実現される。前記計算装置は、周知されている汎用装置である。したがって、本開示の目的は、前記方法又は装置を実現するプログラムコードを含むプログラムプロダクトの提供のみでも実現される。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解や再度の組み合わせが可能である。これらの分解や再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【００９０】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021513802.tif 000007
【図２】
2021513802.tif 000008
【図３】
2021513802.tif 000009
【図４】
2021513802.tif 000010
【図５】
2021513802.tif 000011
【図６】
2021513802.tif 000012
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ページングフレームの位置決定方法であって、
非連続受信するＤＲＸ周期内の同期信号ブロックを決定することと、
前記ＤＲＸ周期内の前記同期信号ブロックの位置の後の位置でページングフレームＰＦの位置を決定することとを含む、ページングフレームの位置決定方法。
【請求項２】
前記同期信号ブロックは、前記ＤＲＸ周期内の最初の同期信号ブロックであり、又は、
前記同期信号ブロックは、前記ＤＲＸ周期内の複数の同期信号ブロックのいずれか１つ又は複数の同期信号ブロックである、請求項１に記載のページングフレームの位置決定方法。
【請求項３】
ページングフレームＰＦの位置を決定することは、
前記最初の同期信号ブロックの後の第１所定オフセット量の無線フレームの位置範囲であるページングフレームＰＦの位置範囲を決定することと、
前記ページングフレームＰＦの位置範囲内でページングフレームＰＦの位置を決定することとを含む、請求項２に記載のページングフレームの位置決定方法。
【請求項４】
前記第１所定オフセット量は、ネットワーク機器によって設定される値であり、又はネットワーク機器によって設定されるページングパラメータから算出される、請求項３に記載のページングフレームの位置決定方法。
【請求項５】
ページングフレームＰＦの位置を決定することは、
前記複数の同期信号ブロックのうちの１つのターゲット同期信号ブロックの位置を決定することと、
前記ターゲット同期信号ブロックの後の第２所定オフセット量の無線フレームの位置をページングフレームＰＦの位置範囲として決定することと、
前記ページングフレームＰＦの位置範囲内でページングフレームＰＦの位置を決定することとを含む、請求項２に記載のページングフレームの位置決定方法。
【請求項６】
前記複数の同期信号ブロックのうちの１つのターゲット同期信号ブロックの位置を決定することは、
端末識別子とＤＲＸ周期内のＰＦ数との剰余演算の結果を算出することと、
同期信号ブロックの周期に対するＤＲＸ周期の倍数と前記ＤＲＸ周期内のＰＦ数との比を算出することと、
前記結果と前記比との積に基づいて、ターゲット同期信号ブロックの位置を決定することとを含み、
前記ターゲット同期信号ブロックの位置と前記倍数との剰余結果は、前記積に等しい、請求項５に記載のページングフレームの位置決定方法。
【請求項７】
前記ＤＲＸ周期内のＰＦ数は、ネットワーク機器によって設定される値であり、又はネットワーク機器によって設定されるページングパラメータから決定される値であり、
前記第２所定オフセット量は、ネットワーク機器によって設定される値であり、又はネットワーク機器によって設定されるページングパラメータから決定される値である、請求項６に記載のページングフレームの位置決定方法。
【請求項８】
前記ページングフレームＰＦの位置範囲内でページングフレームＰＦの位置を決定することは、
前記ページングフレームＰＦの位置範囲内で、端末識別子の順序に基づいてページングフレームＰＦの位置を決定し、又は、
端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定し、前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方であり、又は、
前記ページングフレームＰＦの位置範囲内で、ネットワーク機器によって設定されるページングパラメータに基づいてページングフレームＰＦの位置を決定することを含む、請求項３又は５に記載のページングフレームの位置決定方法。
【請求項９】
決定された前記ページングフレームＰＦの位置を、マッピング関係に従って、前記同期信号ブロックの後の伝送位置にマッピングすることを更に含む、請求項３又は５に記載のページングフレームの位置決定方法。
【請求項１０】
決定された前記ページングフレームＰＦの位置を、前記同期信号ブロックの後の伝送位置にマッピングすることは、
決定された前記ページングフレームＰＦの位置を、端末識別子の順序に従って前記同期信号ブロックの後の伝送位置にマッピングし、又は、
決定された前記ページングフレームＰＦの位置を、ＰＦのフレーム番号ＳＦＮの前後順に従って、前記同期信号ブロックの後の伝送位置にマッピングし、前記ＰＦのフレーム番号は、第３結果と第４結果とを乗算した第２積から決定され、前記第３結果は、端末識別子と第３値との剰余結果であり、前記第４結果は、ＤＲＸ周期を前記第３値で整数除算した結果であり、前記ＰＦのフレーム番号と前記ＤＲＸ周期との剰余結果は、前記第２積に等しく、前記第３値は、ＤＲＸ周期と第４値のうちの小さい方であり、前記第４値は、ＤＲＸ周期毎に含まれるページング機会ＰＯの数であり、又は、
決定された前記ページングフレームＰＦの位置を、ネットワーク機器によって設定されるページングパラメータに従って、前記同期信号ブロックの後の伝送位置にマッピングすることを含む、請求項９に記載のページングフレームの位置決定方法。
【請求項１１】
非連続受信するＤＲＸ周期内の同期信号ブロックを決定するための第１決定モジュールと、
前記ＤＲＸ周期内の前記同期信号ブロックの位置の後の位置でページングフレームＰＦの位置を決定するための第２決定モジュールとを含む、ページングフレームの位置決定装置。
【請求項１２】
前記同期信号ブロックは、前記ＤＲＸ周期内の最初の同期信号ブロックであり、又は、
前記同期信号ブロックは、前記ＤＲＸ周期内の複数の同期信号ブロックのいずれか１つ又は複数の同期信号ブロックである、請求項１１に記載のページングフレームの位置決定装置。
【請求項１３】
前記第２決定モジュールは、具体的には、
前記最初の同期信号ブロックの後の第１所定オフセット量の無線フレームの位置範囲であるページングフレームＰＦの位置範囲を決定することと、
前記ページングフレームＰＦの位置範囲内でページングフレームＰＦの位置を決定することとに用いられ、あるいは、
前記第２決定モジュールは、具体的には、
前記複数の同期信号ブロックのうちの１つのターゲット同期信号ブロックの位置を決定することと、
前記ターゲット同期信号ブロックの後の第２所定オフセット量の無線フレームの位置をページングフレームＰＦの位置範囲として決定することと、
前記ページングフレームＰＦの位置範囲内でページングフレームＰＦの位置を決定することとに用いられる、請求項１２に記載のページングフレームの位置決定装置。
【請求項１４】
前記第２決定モジュールは、前記複数の同期信号ブロックのうちの１つのターゲット同期信号ブロックの位置を決定する際に、具体的には、
端末識別子とＤＲＸ周期内のＰＦ数との剰余演算の結果を算出することと、
同期信号ブロックの周期に対するＤＲＸ周期の倍数と前記ＤＲＸ周期内のＰＦ数との比を算出することと、
前記結果と前記比との積に基づいて、ターゲット同期信号ブロックの位置を決定することとに用いられ、
前記ターゲット同期信号ブロックの位置と前記倍数との剰余結果は、前記積に等しい、請求項１３に記載のページングフレームの位置決定装置。
【請求項１５】
前記第２決定モジュールが、前記ページングフレームＰＦの位置範囲内でページングフレームＰＦの位置を決定することは、
前記ページングフレームＰＦの位置範囲内で、端末識別子の順序に基づいてページングフレームＰＦの位置を決定し、又は、
端末識別子と第１値との剰余演算の第１結果を算出し、ＤＲＸ周期を前記第１値で整数除算した第２結果を算出し、前記第１結果と前記第２結果とを乗算した第１積に基づいてＰＦのフレーム番号を決定し、前記ページングフレームＰＦの位置範囲内で、ＰＦのフレーム番号ＳＦＮの前後順にページングフレームＰＦの位置を決定し、前記ＰＦのフレーム番号と前記ＤＲＸ周期との剰余結果は、前記第１積に等しく、前記第１値は、ＤＲＸ周期と、ＤＲＸ周期毎に含まれるページング機会ＰＯの数である第２値のうちの小さい方であり、又は、
前記ページングフレームＰＦの位置範囲内で、ネットワーク機器によって設定されるページングパラメータに基づいてページングフレームＰＦの位置を決定することを含み、あるいは、
前記ページングフレームの位置決定装置が、決定された前記ページングフレームＰＦの位置を、マッピング関係に従って、前記同期信号ブロックの後の伝送位置にマッピングするためのマッピングモジュールを更に含み、
前記マッピングモジュールは、具体的には、
決定された前記ページングフレームＰＦの位置を、端末識別子の順序に従って前記同期信号ブロックの後の伝送位置にマッピングし、又は、
決定された前記ページングフレームＰＦの位置を、ＰＦのフレーム番号ＳＦＮの前後順に従って、前記同期信号ブロックの後の伝送位置にマッピングし、前記ＰＦのフレーム番号は、第３結果と第４結果とを乗算した第２積から決定され、前記第３結果は、端末識別子と第３値との剰余結果であり、前記第４結果は、ＤＲＸ周期を前記第３値で整数除算した結果であり、前記ＰＦのフレーム番号と前記ＤＲＸ周期との剰余結果は、前記第２積に等しく、前記第３値は、ＤＲＸ周期と第４値のうちの小さい方であり、前記第４値は、ＤＲＸ周期毎に含まれるページング機会ＰＯの数であり、又は、
決定された前記ページングフレームＰＦの位置を、ネットワーク機器によって設定されるページングパラメータに従って、前記同期信号ブロックの後の伝送位置にマッピングすることに用いられる、請求項１３に記載のページングフレームの位置決定装置。
【国際調査報告】
2021513802.tif 000013
2021513802.tif 000014
2021513802.tif 000015
2021513802.tif 000016